(57)【要約】【課題】貯水槽を内蔵した加湿装置において、回動する専用取手を設けることなく、簡易な構造で本体の運搬性を向上させること目的とする。【解決手段】貯水槽２を内蔵した本体１と、この本体１の両側面下部に設けた切欠き部４と、この切欠き部の内部に本体底面１ａを一部底上げした形状の手挿入部５を設けることにより、本体１運搬用の専用取手を使用することなく、本体１を安定して運搬することができる加湿装置が得られる。【選択図】　図１
2004044904.tif 000002
【特許請求の範囲】
【請求項１】
貯水槽を内蔵した本体と、この本体の両側面下部に設けた切欠き部と、この切欠き部の内部に本体底面を一部底上げした形状の手挿入部を有し、この手挿入部に手先を挿入して本体を持ち上げ可能とした加湿装置。
【請求項２】
本体の一側面に水平方向に引出し可能に設けた加湿ユニットと、この加湿ユニットに係合して移動を阻止するように本体の上方向から着脱可能に設けた給水タンクを有し、前記加湿ユニットの表面に手挿入部の１つを形成し、この手挿入部に垂下板を設けてなる請求項１記載の加湿装置。
【発明の詳細な説明】
【０００１】
【発明の属する技術分野】
本発明は、貯水槽に水を貯えて加湿を行なう加湿装置に関する。
【０００２】
【従来の技術】
従来、この種の加湿装置は特許２０００−４６３８１号公報に記載されたものが知られている。以下、その構成について図４を参照しながら説明する。
【０００３】
図に示すように、本体１０１の外殻の両側面に回転可能に設けられた取手１０２を備え、取手１０２の回動中心位置ａを本体１０１の中心ｂから離して、本体１０１内に収納した給水タンク（１０４）の方向にずらすことにより、本体１０１を持ち上げたときに、本体１０１が水平になった状態で釣り合うようにしている。また取手１０２の一方向への回動を規制することにより、加湿装置を運搬するときのふらつきを防止するものであった。
【０００４】
【発明が解決しようとする課題】
このような従来の加湿装置では、本体の運搬に使用する取手は、運搬に使用しないときは、じゃまにならないように回動して収める必要があり、蓋体１０３や給水タンク１０４の着脱操作時に扱いが不便であるとともに、取手の回動を規制する機構としても、一方向だけの規制としているため、その他の方向に本体１０１が傾くことがあり、その場合は運搬中に水が漏れ出す可能性があるという課題があり、運搬用の回動する取手１０２がなくても本体１０１を安定して運搬できることが要求されている。
【０００５】
また、本体の一側面に水平方向に引出し可能に加湿ユニットを設けたものでは、この加湿ユニットを引き出すための手掛具を追加で設ける必要があるが、加湿ユニットの構造が複雑になるという課題があり、簡易な構造で加湿ユニットを引き出すことが要求されている。
【０００６】
本発明は、このような従来の課題を解決するものであり、本体運搬用の専用取手を使用することなく、本体を安定して運搬することができ、また本体から引き出し可能に設けた加湿ユニットを簡易な構造で引き出すことのできる加湿装置を提供することを目的としている。
【０００７】
【課題を解決するための手段】
本発明の加湿装置は上記目的を達成するために、貯水槽を内蔵した本体と、この本体の両側面下部に設けた切欠き部と、この切欠き部の内部に本体底面を一部底上げした形状の手挿入部を設けたものである。
【０００８】
本発明によれば、本体運搬用の専用取手を使用することなく、本体を安定して運搬することができる加湿装置が得られる。
【０００９】
また、他の手段は本体の一側面に水平方向に引き出し可能に設けた加湿ユニットと、この加湿ユニットに係合して移動を阻止するように本体の上方向から着脱可能に設けた給水タンクを有し、前記加湿ユニットの表面に手挿入部の１つを形成し、この手挿入部に垂下板を設けたものである。そして本発明によれば、本体から引き出し可能に設けた加湿ユニットを簡易な構造で引き出すことのできる加湿装置が得られる。
【００１０】
【発明の実施の形態】
本発明は、貯水槽を内蔵した本体と、この本体の両側面下部に設けた切欠き部と、この切欠き部の内部に本体底面を一部底上げした形状の手挿入部を備えたものであり、この手挿入部に手先を挿入することで本体の重心に近い底部を面（手指）で支持することにより、本体が傾き難いという作用を有する。
【００１１】
また、本体の一側面に水平方向に引き出し可能に設けた加湿ユニットと、この加湿ユニットに係合して移動を阻止するように本体の上方向から着脱可能に設けた給水タンクを有し、前記加湿ユニットの表面に手挿入部の１つを形成し、この手挿入部に垂下板を備えたものであり、加湿ユニットの表面に設けた垂下板付きの手挿入部に手を掛けて加湿ユニットを引き出すことができるので、新たに手掛具を加湿ユニットに追加する必要がないという作用を有する。
【００１２】
以上本発明の実施例について図面を参照しながら説明する。
【００１３】
【実施例】
（実施例１）
図１〜図３に示すように、本体１の内部には貯水槽２が設けられ、この貯水槽２に下端を水没させた加湿フィルター８を載置し、本体１の吸気口９から吸気した空気を加湿フィルター８に通して加湿空気として吹出し口１０より吹き出している。また本体１の両側面下部には円弧形状の切欠き部４を設け、この切欠き部の内側に本体の底面１ａを一部底上げして形成した手挿入部５を設けている。
【００１４】
上記構成において、本体１を運搬するときは円弧形状の切欠き部４から手挿入部に両手の指を差し込んで持ち上げることにより、本体１をかかえるように安定して支えることができる。このとき数本の指を円弧形状の切欠き部４に沿わせて差し込むことにより滑り止めの効果があり、両手で本体１を安定して運搬することができる。また、本体取手を片手で持って、運搬していた場合に比べて、両手で本体を持つことにより、片手で支える重量は２分の１に軽減される。さらに本体上部で回転軸による支持に比べて本体下部を面（手指）で支持する方が本体は安定するため、本体の傾きも少なく、貯水槽２から水が本体１外に漏れ出る可能性を減らすことができる。
【００１５】
また、本体１を両手と身体前面の３箇所で支えることにより、さらに安定した運搬が可能となる。
【００１６】
（実施例２）
図１〜図３に示すように、本体１の右側面に水平方向に着脱可能に加湿ユニット６を略一体に設け、加湿ユニット６には貯水槽２が形成され、加湿フィルター８が載置されている。本体１天面には分離可能な蓋体１１が載置され、蓋体１１を外した状態で、給水タンク３が上方から着脱できるようになっている。給水タンク３は加湿ユニット６の貯水槽２に給水するものであるが、本体１が右に傾いたときに、加湿ユニット６がスライドして飛び出さないように加湿ユニット６に係合して移動を阻止している。本体１の両側面下部には一対の切欠き部４と手挿入部５が形成されているが本体１の右側面には加湿ユニット６が位置するため、右側の切欠き部４Ａと手挿入部５Ａは加湿ユニット６の表面に形成されている。また手挿入部５Ａには切欠き部４Ａの一部を覆うように垂下板７を形成し、垂下板７に手指を掛けることにより加湿ユニット６を引き出しできる構成となっている。
【００１７】
上記構成において、貯水槽２と加湿フィルター８を清掃するために本体１から加湿ユニット６を外すときには、まず蓋体１１を外して給水タンク３を引き上げることにより、加湿ユニット６が引き出せる状態となる。次に加湿ユニット６に設けた手挿入部５Ａに手指を差し入れ、垂下板７に手指を掛けることで容易に加湿ユニット６を引き出すことができる。
【００１８】
また、本体１を運搬するときに、切欠き部４から手挿入部５に両手を差し入れるが、右側の手挿入部５Ａには垂下板７を形成しているので手指の掛かりが良くなり、誤って手をすべらせて本体１を落下させることがなく、安全に本体１を運搬することができる。
【００１９】
【発明の効果】
以上の実施例から明らかなように、本発明によれば、貯水槽を内蔵した本体と、この本体の両側面下部に設けた切欠き部と、この切欠き部の内部に本体底面を一部底上げした形状の手挿入部を設けたもので、本体運搬用の専用取手を使用することなく簡易な構造とすることができ、また本体が傾き難く水漏れが生じないように安定して運搬することができる加湿装置が得られる。
【００２０】
また、他の手段は本体の一側面に水平方向に引き出し可能に設けた加湿ユニットと、この加湿ユニットに係合して移動を阻止するように本体の上方向から着脱可能に設けた給水タンクを有し、前記加湿ユニットの表面に手挿入部の１つを形成し、この手挿入部に垂下板を設けたもので、加湿ユニットを引き出すための手掛具を追加することなく、本体運搬用の手挿入部を一部加工して手掛具として使用することができるとともに、垂下板を利用して運搬することで安全性を高めた加湿装置が得られる。
【図面の簡単な説明】
【図１】（イ）本発明の実施例１および２の加湿装置の左側斜視図
（ロ）同手挿入部の拡大断面図
【図２】（イ）同加湿装置の右側斜視図
（ロ）同手挿入部の拡大断面図
【図３】同分解斜視図
【図４】従来の加湿装置の側面図
【符号の説明】
１　　　　　　本体
１ａ　　　　本体底面
２　　　　　　貯水槽
３　　　　　　給水タンク
４　　　　　　切欠き部
４Ａ　　　　切欠き部
５　　　　　　手挿入部
５Ａ　　　　手挿入部
６　　　　　　加湿ユニット
７　　　　　　垂下板
【図１】
2004044904.tif 000003
【図２】
2004044904.tif 000004
【図３】
2004044904.tif 000005
【図４】
2004044904.tif 000006